(57)【要約】【課題】地震時において免震構造物と非免震構造物とが横方向に相対移動しても、床部材の取付部が破損したり、外れて元の状態に戻すことが困難となったりするおそれの少ないエキスパンションジョイントカバーを提供する。【解決手段】溝９３上に架設された床部材１０と、床部材１０を免震構造物の外壁９０に取付けるための取付金具２０とを備えている。取付金具２０には、床部材１０の先端が上下方向に回動可能となるように床部材２０を枢支する軸受機構（軸２４、軸受２５）と、軸２４の一端側を上下動可能とするためのリンク機構２０とが設けられている。【選択図】        図９
2008057239.tif 000002
【特許請求の範囲】
【請求項１】
免震構造物と非免震構造物との間隙を塞ぐためのエキスパンションジョイントカバーであって、
該間隙上に架設された床部材と、該床部材を該免震構造物側又は該非免震構造物側に取付けるための取付手段とを備え、該取付手段には、該床部材の先端が上下方向に回動可能となるように該床部材の固定端側で該床部材を枢支する軸受機構と、該軸受機構の軸の一端側を上下動可能とするためのリンク機構とが設けられていることを特徴とするエキスパンションジョイントカバー。
【請求項２】
前記リンク機構は前記床部材の長さ方向を軸心とする2つの関節を有することを特徴とする請求項１記載のエキスパンションジョイントカバー。
【請求項３】
前記リンク機構は前記床部材の長さ方向を軸心とする３つの関節を有することを特徴とする請求項１記載のエキスパンションジョイントカバー。
【請求項４】
前記取付手段は前記床部材の幅方向の両端に２箇所設けられていることを特徴とする請求項１乃至３のいずれか１項記載のエキスパンションジョイントカバー。
【発明の詳細な説明】
【技術分野】
【０００１】
本発明は、免震構造物の周囲の間隙を塞ぐために設置されるエキスパンションジョイントカバーに関する。
【背景技術】
【０００２】
免震建物等の免震構造物を設置する場合、免震構造物と非免震構造物とが地震時において互いに干渉することを避けるため、免震構造物と非免震構造物との間に一定の間隔の溝が設けられる。この溝は、建物の周囲に設けられたエキスパンションジョイントカバーの床部材によって遮蔽され、床部材の上面は、通行の障害とならないようにその周囲と面一とされる。
【０００３】
しかし、地震時には免震構造物と非免震構造物とが地震動によって相対運動をするため、エキスパンションジョイントカバーの床部材の先端が周囲の面一面を乗り上げて跳ね上がり、床部材の固定端部分が破損したり、跳ね上がった床部材が通行の邪魔となったりするおそれがある。こうした地震時におけるエキスパンションジョイントカバーの動きに対処するため、種々の提案がなされている。
【０００４】
例えば、特許文献１〜３では、エキスパンションジョイントカバーを固定するボルトをバネの付勢力で押さえることにより、エキスパンションジョイントカバーの床部材の先端を回動可能としたものが記載されている。また、特許文献４では、エキスパンションジョイントカバーの床部材の弾性力を利用し、先端側を上下に屈曲可能としたエキスパンションジョイントカバーが提案されている。さらに、特許文献５では、バネを介してエキスパンションジョイントカバーの床部材を固定することによって、上下動を可能とするものが提案されている。この他、床部材をボルトで固定する際に、上下移動が可能となるように余裕を持たせて固定するようにしたもの（特許文献６）や、床部材の裏面に凹部を設け、床部材を固定する側に凸設した支持片を凹部に挿入し、支持片と凹部との接する点を支点として床部材を回動可能としたもの（特許文献７）等がある。
【０００５】
これらのエキスパンションジョイントカバーは、地震動によって床部材の先端側が床部材の長さ方向に移動して周囲の面一面を乗り上げても、固定端部分が破損されることがない。
【０００６】
【特許文献１】特開平１０−２０５００９号公報
【特許文献２】特開平１０−３１７５１６号公報
【特許文献３】特開平９−９６０１７号公報
【特許文献４】実開昭５８−２３９０９号公報
【特許文献５】実開昭６０−１３８９１０号公報
【特許文献６】特開２００３−１２９５７６号公報（段落番号００２５）
【特許文献７】特開２００１−３２９６２５号公報（段落番号００１２）
【発明の開示】
【発明が解決しようとする課題】
【０００７】
しかし、実際の地震においては、免震構造物と非免震構造物との間隙距離が変化するだけではなく、免震構造物と非免震構造物とが横方向に相対移動することもある。これに対し、上記従来のエキスパンションジョイントカバーでは、免震構造物と非免震構造物とが横方向に相対移動する場合については考慮されておらず、床部材が横方向に移動して設置面を乗り上げた場合、床部材の取付部が破損したり、外れて元の状態に戻すことが困難となったりするおそれがあった。
【０００８】
本発明は、上記従来の実情等に鑑みてなされたものであり、地震時において免震構造物と非免震構造物とが横方向に相対移動しても、床部材の取付部が破損したり、外れて元の状態に戻すことが困難となったりするおそれの少ないエキスパンションジョイントカバーを提供することを解決すべき課題としている。
【課題を解決するための手段】
【０００９】
本発明のエキスパンションジョイントカバーは、免震構造物と非免震構造物との間隙を塞ぐためのエキスパンションジョイントカバーであって、
該間隙上に架設された床部材と、該床部材を該免震構造物側又は該非免震構造物側に取付けるための取付手段とを備え、該取付手段には、該床部材の先端が上下方向に回動可能となるように該床部材の固定端側で該床部材を枢支する軸受機構と、該軸受機構の軸の一端側を上下動可能とするためのリンク機構とが設けられていることを特徴とする。
【００１０】
本発明のエキスパンションジョイントカバーでは、床部材の先端が上下方向に回動可能となるように床部材の後端側で床部材を枢支する軸受機構が設けられている。これにより、地震時において免震構造物と非免震構造物とが互いに接近し、床部材の先端側が面一面を乗り上げたとしても、軸受機構によって床部材の先側が回動してその動きに追随できるため、取付手段が破損されることはない。
また、地震時において免震構造物と非免震構造物とが横方向に相対移動をし、床部材が横方向の面一面を乗り上げた場合、軸受機構の軸を上下動可能とするリンク機構が作動して軸の一端側を上方に持ち上げる。さらに面一面を乗り上げた床部材が元に戻った場合には、リンク機構が作動して軸の一端側を下方に下げて元の位置に復帰する。このため、地震時において免震構造物と非免震構造物とが横方向に相対移動しても、床部材の取付部が外れて元の状態に戻すことが困難となったり、破損したりするおそれが少ない。
【００１１】
リンク機構は床部材の長さ方向を軸心とする2つの関節を有するものとすることができる。ここで、床部材の長さ方向とは免震構造物と非免震構造物との間隙の幅方向のことをいう。リンク機構がこのような２つの関節を有するとすれば、軸の一端側を上下動可能とすることができる。
【００１２】
リンク機構は床部材の長さ方向を軸心とする３つの関節を有するものとすることができる。リンク機構がこのような３つの関節を有するとすれば、関節間に接続される２つのロッドを折り畳んで収容することができるため、軸の上下動の可動距離を長くすることが可能となる。このため、地震によって床部材が横方向の面一面を大きく乗り上げた場合にも追随が可能になる。
【００１３】
取付手段は床部材の幅方向の両端に２箇所設けることも好ましい。こうであれば、取付手段が一箇所にだけ設けられている場合と比較して、床部材の動きがさらに円滑となる。このため、床部材が左右のどちら側の面一面に乗り上げたとしても、その動きにフレキシブルに対応することができる。
【発明を実施するための最良の形態】
【００１４】
以下、本発明を具体化した実施例を図面を参照しつつ説明する。
（実施例１）
実施例１のエキスパンションジョイントカバーは、図１及び図２に示すように、免震建築物の外壁９０と地盤９２の間にある溝９３を塞ぐために設置されるものであり、外壁９０と地盤９２の間に架設された鋼鉄製の床部材１０と、床部材１０を外壁９０に取付けるための取付金具２０とを備えている。
【００１５】
床部材１０は、四角皿形状の受板１０ａと、受板１０ａを覆って地盤９２方向に突出する天板１０ｂとを有している。
【００１６】
取付金具２０は、図３及び図４に示すように、外壁９０にボルト２２で固定されている。取付金具２０はリンク機構２３と、リンク機構２３に接続された軸２４と、軸２４が挿入される軸受２５とからなる。軸２４及び軸受２５が軸受機構である。図５に示すように、リンク機構２３は、外壁９０にボルト２１ａ、２１ｂによって固定されたブラケット２３ａと、ブラケット２３ａに設けられた第１関節２３ｂ（図３参照）を介して接続された第１ロッド２３ｃと、第１ロッド２３ｃと第２関節２３ｄを介して接続された第２ロッド２３ｅとからなる。第２ロッド２３ｅの一端には軸２４が溶接されている。第１関節２３ｂ及び第２関節２３ｄの軸心方向は受板１０ａの長さ方向とされており、軸２４の上下動が可能とされている。また、軸２４及び軸受２５の軸心方向は受板１０ａの幅方向とされており、これによって、受板１０ａの先端が上下方向に回動可能とされている。
【００１７】
次に、実施例１のエキスパンションジョイントカバーの地震時における作用効果について説明する。地震時において、外壁９０と地盤９２とが地震動によって接近した場合（すなわち図２の状態から図６の状態になった場合）、床部材１０が地盤９２の法面９２ａを乗り上げる。これにより、床部材１０は、軸受機構の軸２４を中心として先端が上方に回動する。このため、地震動によって外壁９０と地盤９２とが相対運動により近づいても、床部材１０の取付部分が破損したり、外れて元の状態に戻すことが困難となったりことはない。
また、図７及び図８に示すように、地震時において壁９０と地盤９２とが横方向に相対移動をし、床部材１０が横方向の面一面を乗り上げた場合には、図９に示すように、リンク機構２３が作動し、軸受機構の軸２４の一端側が上方に持ち上げる。このため、床部材１０の取付部分が破損したり、外れて元の状態に戻すことが困難となったりことはない。
さらに面一面を乗り上げた床部材が元に戻った場合には、リンク機構２３が作用して軸軸２４の一端側を下方に下げて元の位置に復帰する。
以上のように、実施例１のエキスパンションジョイントカバーでは、地震時において外壁９０と地盤９２とが、どのような相対運動をしても、リンク機構２３と軸受機構との共同作用によって、床部材１０がそれの相対運動に追随して動くことができる。このため、エキスパンションジョイントカバーの破損や、外れて元の状態に戻すことが困難となったりするおそれがない。
【００１８】
（実施例２）
実施例２のエキスパンションジョイントカバーは、図１０に示すように、リンク機構が第1関節３０ａ、第２関節３０ｂ及び第３関節３０ｃの３つの関節を有している。他の構成は図９に示す実施例１のエキスパンションジョイントカバーと同様であり、同一の構成については同一の符号を付して詳細な説明を省略する。
【００１９】
実施例２のエキスパンションジョイントカバーでは、関節間に接続される２つのロッドを折り畳んで収容することができるため、軸２４の上下動の可動距離を長くすることができる。このため、地震によって床部材１０が横方向の面一面を大きく乗り上げた場合にも追随が可能になる。
【００２０】
（実施例３）
実施例３のエキスパンションジョイントカバーは、図１１に示すように、床部材４０の幅方向の一端側及び他端側に実施例１と同様の取付金具５０、５１が設けられている。他の構成は図９に示す実施例１のエキスパンションジョイントカバーと同様である。
【００２１】
実施例３のエキスパンションジョイントカバーでは、床部材４０の動きが実施例１のエキスパンションジョイントカバーよりもさらに円滑となる。このため、床部材４０が左右のどちら側の面一面に乗り上げたとしても、その動きにフレキシブルに対応することができる。
【産業上の利用可能性】
【００２２】
本発明の免震構造物用可動床は、免震構造物周囲に設けられた溝の遮蔽用として用いることができる。
【図面の簡単な説明】
【００２３】
【図１】実施例１のエキスパンションジョイントカバーを設置した場合の平面図である。
【図２】図１のIＩ−ＩI矢視断面図である。
【図３】図１のＩIＩ−ＩIＩ矢視断面図である。
【図４】実施例１のエキスパンションジョイントカバーの取付部分の平面図である。
【図５】実施例１のエキスパンションジョイントカバーの取付手段部分の平面図である。
【図６】実施例１のエキスパンションジョイントカバーを設置した場合において、地震によって外壁と地盤とが地震動によって接近した場合の床部材の長さ方向から見た断面図である。
【図７】図１のＩIＩ−ＩIＩ矢視断面図である。
【図８】実施例１のエキスパンションジョイントカバーを設置した場合において、地震によって外壁と地盤とが地震動によって接近した場合の床部材の幅方向から見た断面図である。
【図９】実施例１のエキスパンションジョイントカバーの取付部分の作動時における断面図である。
【図１０】実施例２のエキスパンションジョイントカバーの取付部分の作動時における断面図である。
【図１１】実施例３のエキスパンションジョイントカバーを設置した場合の断面図である。
【符号の説明】
【００２４】
９０…外壁（免震構造物）
９２…地盤（非免震構造物）
９３…溝（間隙）
１０、４０…床部材（１０ａ…受板、１０ｂ…天板）
２４、２５…軸受機構（２４…軸、２５…軸受）
２０、５０、５１…取付金具（取付手段）
２３…リンク機構（２３ａ…ブラケット、２３ｂ…第１関節、２３ｃ…第１ロッド２３ｃ、２３ｄ…第２関節、２３ｅ…第２ロッド）
【図１】
2008057239.tif 000003
【図２】
2008057239.tif 000004
【図３】
2008057239.tif 000005
【図４】
2008057239.tif 000006
【図５】
2008057239.tif 000007
【図６】
2008057239.tif 000008
【図７】
2008057239.tif 000009
【図８】
2008057239.tif 000010
【図９】
2008057239.tif 000011
【図１０】
2008057239.tif 000012
【図１１】
2008057239.tif 000013